(57)【特許請求の範囲】
【請求項１】
超音波内視鏡下穿刺吸引生検で採取した血液および検体細胞を含む被検サンプル組織体に、当該被検サンプル組織体の一方側から、発光強度が最大となる波長が６００〜６１０ｎｍの範囲内で、且つその発光スペクトルの半値幅が３０ｎｍ以下の範囲内である光を照射し、この照射光が前記被検サンプル組織体を透過した透過光による透過画像に基づいて、前記被検サンプル組織体中に検体細胞が存在するか否かを判別することを特徴とする被検サンプル組織体中の検体細胞の有無判別方法。
【請求項２】
超音波内視鏡下穿刺吸引生検で採取した血液および検体細胞を含む被検サンプル組織体を収容する検査用容器と、前記検査用容器の一方側に配置された光照射装置とよりなる装置であって、前記光照射装置の光源が発光強度の最大となる波長が６００〜６１０ｎｍの範囲内で且つその発光スペクトルの半値幅が３０ｎｍ以下の範囲内であることを特徴とする被検サンプル組織体中の検体細胞の有無判別装置。
【請求項３】
超音波内視鏡下穿刺吸引生検で採取した血液および検体細胞を含む被検サンプル組織体を収容する検査用容器と、前記検査用容器の一方側に配置された光照射装置と、前記検査用容器と前記光照射装置との間に介在させた波長フィルタとよりなる装置であって、前記光照射装置よりの光が前記波長フィルタにより発光強度の最大となる波長が６００〜６１０ｎｍの範囲内で且つその発光スペクトルの半値幅が３０ｎｍ以下の範囲内の光に変換されるようにしたことを特徴とする被検サンプル組織体中の検体細胞の有無判別装置。
【請求項４】
請求項２または３に記載の装置において、前記検査用容器と前記光照射装置との間に散乱シートを介在させたことを特徴とする被検サンプル組織体中の検体細胞の有無判別装置。
【発明の詳細な説明】
【技術分野】
【０００１】
本発明は、例えば、画像診断などにより見つかった腫瘍などの人体病変部から採取した小さな塊の被検サンプル組織体の内部に検査目的の検体細胞が存在するか否かの有無を光照射手段によって迅速、且つ正確に判別することができる検体細胞の有無判別方法および装置に関するものである。
【背景技術】
【０００２】
患者の体内に存在する腫瘍が悪性か否かを判別する検査は、病理医もしくは細胞検査士の立会いの下に生検検体内に目標とする細胞が採取されていることを確認することが望ましいが、人員不足などの問題により、多くの施設で立会いが困難な状況にある。
【０００３】
ところで、患者の体内に何らかの腫瘍が存在する否かを検査することを目的とした生体組織検査装置は既に提案されている（例えば、特許文献１参照）。この装置は、後述するように、本発明の対象とする、人体病変部から採取した小さな塊の被検サンプル組織体の内部に検査目的の検体細胞が存在するか否かの有無を判別する技術分野とは異なる分野に属するものであるが、光照射装置を用いる技術が示されているので、以下、概要を述べる。
【０００４】
この生体組織検査装置は、インコヒーレントな光源から、その発光強度が最大となる波長が７５０〜１２００ｎｍの範囲内で、且つその発光スペクトルの半値幅が７０〜２００ｎｍとなる光を生体組織に照射して、この照射光が生体組織を透過した光を光検出器で検出し、この光検出器の出力に基づいて画像出力部から出力される透過像を観察して腫瘍部が存在するか否かを判別するようになっている。この生体組織検査装置は、光源の発光スペクトルに水の吸収帯域とＰＳＡ（Prostate Specific Antigen ）の吸収帯域とが含まれていることから、特に、ＰＳＡ濃度が高くなる前立腺がんの腫瘍部の存在の有無の検査に適している。すなわち、前立腺がんの腫瘍部の検査に際しては、ＰＳＡ濃度が高い腫瘍部に対して多くの光が吸収されてこの部分が暗く表示される結果、前立腺がんの腫瘍部に明確なコントラストが現れる画像が得られるからである。
【０００５】
ところで、人体における膵臓は、人体の深部にあり、胃や肝臓などの臓器に囲まれていることから、エコーやＣＴなどによる既存の画像検査では膵臓がんを正確に発見することが困難であり、例えば、画像検査おいて膵臓がんであるとの診断結果に基づき手術された症例の５〜１０％が慢性膵炎などの良性疾患であったという報告が散見される。近年では、超音波内視鏡を使うことによってエコーやＣＴなどによる画像検査では見つけられなかった小さい膵臓がんを発見し、同時にその血液を含む検体細胞を顕微鏡検査のためのサンプルとして採取することが可能になった。
【０００６】
具体的には、観察用の光源とレンズを備えた細いチューブ状の内視鏡の先端部に超音波プローブと生検針を取り付けた超音波内視鏡を用意し、この超音波内視鏡を臨床（検査）時に患者の口から食道内に挿入して、超音波プローブから出力する高エネルギーの音波である超音波を膵臓に近い胃壁や十二腸壁から膵臓に当てて反響させながら、これによる画像をモニタ上に映し出し、その画像の観察に基づいて悪性と疑われる部位を生検針の挿入により採取している。このようにして採取された血液を含む検体細胞は、顕微鏡検査のためのサンプルとして用いられるので、被検サンプル組織体と称することとする。また、上述のように超音波内視鏡を用いて被検サンプル組織体を採取する手法は、一般にＥＵＳ−ＦＮＡ（超音波内視鏡下穿刺吸引生検）と称せられている。
【先行技術文献】
【特許文献】
【０００７】
【特許文献１】特開２０１１−２４７６６２号公報
【発明の概要】
【発明が解決しようとする課題】
【０００８】
ＥＵＳ−ＦＮＡによって採取された被検サンプル組織体は、血液中に検査目的の微細な検体細胞が埋もれた状態で存在しているか否かの判別が行われ、存在していると判別した場合に、その検体細胞が悪性か否かの判別を行うための顕微鏡検査に供せられる。この被検サンプル組織体の顕微鏡検査の検査結果が悪性である場合に限り、手術もしくは化学療法を施すように図っており、これにより、良性疾患であるにも拘わらず手術などを施すといったことを未然に防止することができる。
【０００９】
しかしながら、被検サンプル組織体中に検査目的の検体細胞が存在するか否かの判別は、被検サンプル組織体の血液中に埋もれている微小物をピンセットで闇雲に摘んで掻き回すようにしながら、血液中に埋もれている検体細胞を目視による観察で探すことにより、ＥＵＳ−ＦＮＡによって採取された検体細胞中に検体細胞が含まれているか否かを判別しているのが実情である。このような判別方法では、検体細胞の存在を確認するまでに多くの時間を費やして非能率である。しかも、多くの時間を費やしたにも拘わらず検体細胞の存在を正確に判別できない場合があり、このような場合には医師の職人的な「勘」で検体細胞が採取されていると見做して終了している場合もある。
【００１０】
一方、上述の特許文献１の生体組織検査方法は、手術により患者から摘出した良性疾患部位を含む大きな塊である生体組織に腫瘤が存在するか否かを判別するものであるから、ＥＵＳ−ＦＮＡなどによって採取した血液を含む小さな塊の被検サンプル組織体の内部に検体細胞が存在するか否かの判別に応用することができない。
【００１１】
本発明は、前記従来の課題に鑑みてなされたものであり、被検サンプル組織体中の検体細胞の存在の有無を簡便な手段により迅速、且つ正確に判別できる方法を提供することを目的とする。
【課題を解決するための手段】
【００１２】
上記目的を達成するために、請求項１に係る発明は、超音波内視鏡下穿刺吸引生検で採取した血液および検体細胞を含む被検サンプル組織体に、当該被検サンプル組織体の一方側から、発光強度が最大となる波長が６００〜６１０ｎｍの範囲内で、且つその発光スペクトルの半値幅が３０ｎｍ以下の範囲内である光を照射し、この照射光が前記被検サンプル組織体を透過した透過光による透過画像に基づいて、前記被検サンプル組織体中に検体細胞が存在するか否かを判別することを特徴とする被検サンプル組織体中の検体細胞の有無判別方法を提供する。
【００１３】
請求項２に係る発明は、超音波内視鏡下穿刺吸引生検で採取した血液および検体細胞を含む被検サンプル組織体を収容する検査用容器と、前記検査用容器の一方側に配置された光照射装置とよりなる装置であって、前記光照射装置の光源が発光強度の最大となる波長が６００〜６１０ｎｍの範囲内で且つその発光スペクトルの半値幅が３０ｎｍ以下の範囲内であることを特徴とする被検サンプル組織体中の検体細胞の有無判別装置を提供する。
【００１４】
請求項３に係る発明は、超音波内視鏡下穿刺吸引生検で採取した血液および検体細胞を含む被検サンプル組織体を収容する検査用容器と、前記検査用容器の一方側に配置された光照射装置と、前記検査用容器と前記光照射装置との間に介在させた波長フィルタとよりなる装置であって、前記光照射装置よりの光が前記波長フィルタにより発光強度の最大となる波長が６００〜６１０ｎｍの範囲内で且つその発光スペクトルの半値幅が３０ｎｍ以下の範囲内の光に変換されるようにしたことを特徴とする被検サンプル組織体中の検体細胞の有無判別装置を提供する。
【００１５】
請求項４に係る発明は、請求項２または３に記載の装置において、前記検査用容器と前記光照射装置との間に散乱シートを介在させたことを特徴とする被検サンプル組織体中の検体細胞の有無判別装置を提供する。
【発明の効果】
【００１６】
本発明によれば、血液による光の吸収が大き過ぎず、且つ小さ過ぎない、特に適度な吸収度合いとなる波長域である６００〜６１０ｎｍの範囲内の波長の光を被検サンプル組織体に照射することにより、検体細胞に対して適量の照射光を透過させるとともに、血液部が適量の照射光を光吸収する。なお、半値幅が３０ｎｍを超えると血液による光の吸収または透過が次第に大となり、画像が不鮮明となってくるので３０ｎｍ以下、更に望ましくは１５ｎｍ以下が好適である。
【００１７】
その結果、被検サンプル組織体を透過した光による画像は、検体細胞と血液部との間にこれらを明確に区分できる差を有するものとなって両者を目視によっても、一目瞭然に判別できるものとなる。したがって、この検体細胞の有無判別方法および装置によると、患者の悪性腫瘍と思われる部分を採取した極めて小さい塊である被検サンプル組織体を判別対象としているにも拘わらず、ピンセットで摘んだりする操作などを行うことなく、検体細胞と血液とを明確に区別できる差を有して表示される透過画像を観察するだけで、被検サンプル組織体中の血液内に埋もれている検体細胞の存在の有無を迅速、且つ正確に判別することができる。
【図面の簡単な説明】
【００１８】
【図１】本発明の被検サンプル組織体中の検体細胞の有無判別方法を具現化した一実施形態に係る概略構成図である。
【図２】図１における光源の配置の一例を示す図である。
【図３】被検サンプル組織体への照射光の波長と検体細胞および血液部の各々の透過光強度との関係並びに波長と検体細胞および血液部のコントラストとの関係を示す特性図である。
【図４】透過画像の一例を示す図である。
【図５】照射光の波長を変化させたときの各透過画像を示す図である。
【図６】本発明の被検サンプル組織体中の検体細胞の有無判別方法を具現化した他の実施形態に係る概略構成図である。
【図７】本発明の被検サンプル組織体中の検体細胞の有無判別方法を具現化した他の実施形態に係る概略構成図である。
【図８】本発明の被検サンプル組織体中の検体細胞の有無判別方法を具現化した他の実施形態に係る概略構成図である。
【図９】本発明の被検サンプル組織体中の検体細胞の有無判別方法を具現化した他の実施形態に係る概略構成図である。
【発明を実施するための形態】
【００１９】
以下、本発明の好ましい実施形態について図面を参照しながら詳述する。図１は本発明の被検サンプル組織体中の検体細胞の有無判別方法を極めて簡便な手段により具現化した一実施形態に係る概略構成図であり、この実施形態では、膵臓がんの検体細胞の有無の判別に適用した場合を例示してある。
【００２０】
例えば、膵臓がんの疑いのある患者への治療を行うのに先だって、前述したように、ＥＵＳ−ＦＮＡによって患者の検査を要する部分を被検サンプル組織体１として採取され、
この被検サンプル組織体１が検査用容器であるシャーレ４内に収容される。この被検サンプル組織体１が収容されたシャーレ（検査用容器）４は、散乱シート７を間に介在して光源ボックス９上に載置される。光源ボックス９上には、ケース１０の上端開口を施蓋する配置で設けられた透光板１１上に散乱シート７を介在してシャーレ４が載置されている。
【００２１】
光源ボックス９の内部には光照射装置１２が配置されている。この光照射装置１２は、光源である複数のＬＥＤ１４（ピーク波長６０５ｎｍで半値幅１５ｎｍ）が、図２に示すように円形の配置でプリント配線基板１３上に設けられており、各ＬＥＤ１４はバッテリー１７から給電されて光放射する。このＬＥＤ１４からの照射光Ｌ１は、散乱シート７およびシャーレ４の底板を透過して被検サンプル組織体１に照射される。この照射光Ｌ１は、上述のように発光強度が最大となる波長が６０５ｎｍで、且つその発光スペクトルの半値幅が１５ｎｍであるが、一般的には、波長フィルタ等を使用することにより、発光強度が最大となる波長が５９５〜６１５ｎｍの範囲内で、且つその発光スペクトルの半値幅が３０ｎｍ以下、望ましくは１５ｎｍ以下の範囲内で出射するように調整される。さらに、出射した光は、散乱シート７を透過する際に散乱されたのちにシャーレ４の底板を透過してシャーレ４内の被検サンプル組織体１に照射される。被検サンプル組織体１は、有無の判別対象である検体細胞１ａが血液部１ｂ内に埋もれた状態で含まれている。
【００２２】
被検サンプル組織体１を透過した透過光Ｌ２は、撮像装置１８により受光されて、被検サンプル組織体１の透過画像として撮影される。この撮像装置１８としては、例えば、ＣＣＤイメージセンサなどを好適に用いることができる。撮像装置１８により撮影された透過画像の画像データは、モニタなどの画像表示装置１９に表示されるとともに、画像記録装置２０に記録される。医師または検査技師は、画像表示装置１９に画像表示された被検サンプル組織体１の透過画像を観察しながら、被検サンプル組織体１中に検体細胞１ａが血液部１ｂに埋もれた状態で存在するか否かを判別する。
【００２３】
換言すると、医師または検査技師は、被検サンプル組織体１を採取した際に検査目的である検体細胞１ａを確実に採取できたか否かを判別して、検体細胞１ａが採取されていると判別した被検サンプル組織体１を顕微鏡検査のためのサンプルに用いて、腫瘍が悪性または良性のいずれであるか等を判断する。この判断を正確に行えるようにすることが本発明の目的であり、そのために、被検サンプル組織体１の透過画像において、検体細胞１ａが他の血液部１ｂなどに対して良好な明暗のコントラストで鮮明に画像表示されるように図っており、この点について、以下に詳述する。
【００２４】
図３は被検サンプル組織体１の透過画像における光源からの照射光の波長に対する検体細胞１ａおよび血液部１ｂの各々の透過光強度（明度）並びに前記波長に対する検体細胞１ａおよび血液部１ｂの各々の透過光強度のコントラストを示した特性図である。この場合、光源としてはキセノンランプ（浜松ホトニクス製のＬ２２７３で、波長特性は４００〜８００ｎｍの範囲においてほぼ同一強度）の光を分光器を介して波長４３５〜６９５ｎｍの範囲内の単色光（半値幅は６ｎｍ）を得て技術確認を行った。
【００２５】
同図において、Ａは照射光波長の変化に対する被検サンプル組織体１中の検体細胞１ａの透過光強度の変化を示す特性曲線、Ｂは照射光波長の変化に対する被検サンプル組織体１中の血液部１ｂ部の透過光強度の変化を示す特性曲線、Ｃは照射光波長の変化に対する検体細胞１ａの透過光強度と血液部１ｂの透過光強度とのコントラストの変化を示す特性曲線である。なお、図３の照射光波長は、その発光強度が最大となる波長である。
【００２６】
図３に示すように、照射光の波長が５９５ｎｍ未満の場合には、検体細胞１ａおよび血液部１ｂのいずれにも照射光が殆ど透過しないことから、検体細胞１ａおよび血液部の各々の透過光強度が共に極めて低い。これは、波長が５９５ｎｍ未満の照射光は血液中に完
全に吸収されてしまうためであると思われる。このため、被検サンプル組織体１に５９５ｎｍ未満の波長の光を照射した場合には、検体細胞１ａおよび血液部１ｂの各々の透過光強度が共に極めて低いことから、図５に示すように、検体細胞１ａと血液部１ｂとの明暗のコントラストが明確に現れない透過画像となり、検体細胞１ａの存在の有無を目視等で判別するのが難しい。
【００２７】
一方、照射光の波長を６１５ｎｍ超に設定した場合には、検体細胞１ａおよび血液部１ｂのいずれにも照射光が十分に透過して、検体細胞１ａおよび血液部１ｂの各々の透過光強度が共に高くなる。これは、波長が６１５ｎｍ超の照射光に対する血液による吸収が極めて弱くなって光が検体細胞１ａおよび血液部１ｂの双方に透過するためであると思われる。このため、被検サンプル組織体１に６１５ｎｍ超の波長の光を照射した場合には、図５に示すように、検体細胞１ａと血液部１ｂとの間に明暗のコントラストが殆ど生じない透過画像となり、検体細胞１ａの存在の有無を目視で判別することがやはり難しい。
【００２８】
そこで、この実施形態では、光源から被検サンプル組織体１に照射する光を、その発光強度が最大となる波長が５９５〜６１５ｎｍの範囲内で、且つその発光スペクトルの半値幅が３０ｎｍの範囲内となるように設定している。これにより、照射光の下限の波長である５９５ｎｍは、血液によって光が完全に吸収されてしまう波長よりも大きいことから、血液による光吸収が弱くなって検体細胞１ａに照射光が透過し始める。この照射光の波長が５９５ｎｍから徐々に大きくなっていくと、この波長が大きくなるのに対応して血液による光吸収も徐々に弱くなっていき、これに伴って検体細胞１ａの透過光強度が徐々に高くなっていく。このときの照射光の波長の上限は、血液による光吸収が極めて弱くなって検体細胞１ａに加え血液部１ｂにも光が透過し始める波長よりも小さい６１５ｎｍに設定されている。
【００２９】
このように被検サンプル組織体１に照射する５９５〜６１５ｎｍの範囲内の波長の光は、血液による吸収が大き過ぎず、且つ小さ過ぎない適度な光吸収度合いとなる波長域であるから、検体細胞１ａに対して適量の照射光を透過させるとともに、血液部１ｂが適量の照射光を光吸収する。その結果、図５に示すように、被検サンプル組織体１を透過した光による画像は、検体細胞１ａと血液部１ｂとの間にこれらを明確に区分できる明暗の差が生じるものとなる。
【００３０】
さらに、照射光は、その発光スペクトルの半値幅が、広過ぎない３０ｎｍ、更に望ましくは１５ｎｍの範囲内に設定されているから、透過光画像は、検体細胞１ａと血液部１ｂとの間に明確なコントラストを有するものとなる。さらにまた、各ＬＥＤ１４からの照射光Ｌ１が散乱シート７を透過する際に散乱されるから、被検サンプル組織体１の透過画像は、光源である各ＬＥＤ１４の存在が直接的に現れない画像となる結果、血液部１ｂ中の検体細胞１ａの存在の有無を観察し易くなる。また、光源である複数のＬＥＤ１４は、円形状に配置されているから、リング照明となってハレーションを有効に防ぐことができる。
【００３１】
これらにより、被検サンプル組織体１の透過画像は、検体細胞１ａと血液部１ｂとを目視により一目瞭然に判別できる明瞭な表示画像になる。このことは、図５における６０５ｎｍの波長の光を照射したときの透過画像を拡大した図４においても明らかに示されている。なお、図４の（ａ）、（ｂ）は同一画像であるが、（ｂ）は（ａ）において検体細胞部と血液部の説明を加えたものである。
【００３２】
したがって、この検体細胞１ａの有無判別方法では、手術前の患者の悪性腫瘍と思われる部分を採取した極めて小さい塊である被検サンプル組織体１を判別対象としているにも拘わらず、ピンセットで摘んだりする操作などを一切行うことなく、検体細胞１ａと血液
とを明確に区別できる差を有して表示される透過画像を観察するだけの簡便な手段により、被検サンプル組織体１中の血液内に埋もれている検体細胞１ａの存在の有無を迅速、且つ正確に判別することができる。これにより、検体細胞１ａが確実に採取されている有効な被検サンプル組織体１のみが顕微鏡検査のサンプルに供せられることになる。
【００３３】
この検体細胞１ａの有無判別方法は、特に、実施形態で説明したように、膵臓がんの患者に対して、手術前に腫瘍が悪性か良性疾患であるかの別を判別するのに極めて有効であることが確認されているが、膵臓以外の他の臓器の腫瘍の観察にも適用することができる。
【００３４】
図６は、本発明の被検サンプル組織体中の検体細胞の有無判別方法を具現化した他の実施形態に係る概略構成図であり、同図において、図１と同一若しくは同等のものには同一の符号を付して、重複する説明を省略する。この実施形態では、図１の撮像装置１８、画像表示装置１９および画像記録装置２０を除外して、医師または検査技師が、被検サンプル組織体１の透過光Ｌ２による像を直接目視して、その透過像中の検体細胞１ａの有無を判断するようになっている。このような手段においても、被検サンプル組織体１の透過画像が検体細胞１ａと血液部１ｂとを目視により一目瞭然に判別できる明瞭な表示画像となることから、正確に判別することができる。
【００３５】
図７は、本発明の被検サンプル組織体中の検体細胞の有無判別方法を具現化した他の実施形態に係る概略構成図であり、同図において、図１と同一若しくは同等のものには同一の符号を付して、重複する説明を省略する。この実施形態では、図６の装置に加えて、波長フィルタ８を採用している。この場合、光源は発光強度が広い波長範囲に亘ってほぼ一定の白色光源であってもよく、波長フィルタの使用により発光強度が最大となる波長が５９５〜６１５ｎｍの範囲内で且つその発光スペクトルの半値幅が３０ｎｍ以下の範囲内である光に変換することが出来る。このような装置においても、被検サンプル組織体１の透過画像が検体細胞１ａと血液部１ｂとを目視等により一目瞭然に判別できる明瞭な表示画像となることから、正確に判別することができる。
【００３６】
図８は、図６の装置において、ＬＥＤ１４の設置方向を斜め方向としたもので、目視などの時に眩しさ低減、検査者の見やすさ向上という意味から好適な場合がある。同図においても、図１と同一若しくは同等のものには同一の符号を付して、重複する説明を省略している。
【００３７】
図９は、同図でも明らかなように、光源ボックス９の透光板１１を傾斜して設置したものであり、目視などのときの検査者の検体確認のしやすさ向上という意味から好適な場合がある。同図においても、図１と同一若しくは同等のものには同一の符号を付して、重複する説明を省略している。
【００３８】
なお、本発明は、以上の実施形態で示した内容に限定されるものでなく、本発明の要旨を逸脱しない範囲内で、種々の追加、変更または削除が可能であり、そのようなものも本発明の範囲内に含まれる。
【産業上の利用可能性】
【００３９】
本発明は、患者の悪性腫瘍と思われる部分を採取した極めて小さい塊である被検サンプル組織体に対して、ピンセットで摘んだりする操作などを一切行うことなく、検体細胞と血液とを明確に区別できる差を有して表示される透過画像を観察するだけの簡便な手段により、血液内に埋もれている検体細胞の存在の有無を迅速、且つ正確に判別する用途に極めて好適に適用することができる。
【符号の説明】
【００４０】
１  被検サンプル組織体
１ａ  検体細胞
１ｂ  血液部
Ｌ１  照射光
Ｌ２  透過光
４  シャーレ（検査用容器）
７  散乱シート
８  波長フィルタ
１２  光照射装置
【図１】
0005861225.tif 000002
【図２】
0005861225.tif 000003
【図３】
0005861225.tif 000004
【図４】
0005861225.tif 000005
【図５】
0005861225.tif 000006
【図６】
0005861225.tif 000007
【図７】
0005861225.tif 000008
【図８】
0005861225.tif 000009
【図９】
0005861225.tif 000010